(57)【要約】【課題】データの記録予約がなされ、該データの記録媒体への記録が不可能である場合に、ユーザが前記データを視聴することが可能になる放送信号処理装置を提供する。【解決手段】ＴＶ受像機１の制御部１３は、番組の録画予約があったか否かを判定する手段（Ｓ１）、録画予約があったと判定した場合、前記番組がＢＤ録画部１４で録画不可能の番組であるか否かを判定する手段（Ｓ２）、ＢＤ録画部１４がＴＶ受像機１に未装着であるか否かを判定する手段（Ｓ３）、前記番組の録画が禁止されているか否かを判定する手段（Ｓ４）を備えている。さらに、制御部１３は、ステップＳ２、Ｓ３、Ｓ４のうちのいずれかのステップでＹＥＳの場合、録画予約を視聴予約に設定を変更する手段（Ｓ５）、変更したことを表示する手段（Ｓ８）、番組の開始時刻に到達した場合に、予約視聴処理を実行する手段（Ｓ９）を備えている。【選択図】図４
2010119047.tif 000002
【特許請求の範囲】
【請求項１】
受信した放送信号に基づくデータを表示する表示装置、及び前記データを記録媒体に記録する記録装置を備え、前記データの表示及び記録を予約できるように構成された放送信号処理装置において、
前記データの記録の予約を受け付けた場合に、前記データの記録が不可能であるか否かを判定する判定手段と、
該判定手段により前記記録が不可能であると判定した場合に、前記データの記録の予約を表示の予約に変更する手段と
を備えることを特徴とする放送信号処理装置。
【請求項２】
前記判定手段は、前記データが前記記録装置で記録することが不可能であるデータであるか否かを判定する手段である請求項１に記載の放送信号処理装置。
【請求項３】
前記判定手段は、前記データが記録を禁止されたデータであるか否かを判定する禁止有無判定手段である請求項１又は２に記載の放送信号処理装置。
【請求項４】
前記放送信号の中には番組情報が含まれており、
前記禁止有無判定手段は、前記番組情報に基づいて前記データが記録を禁止されたデータであるか否かを判定する請求項３に記載の放送信号処理装置。
【請求項５】
前記記録装置は前記表示装置に離脱可能に内蔵されており、
前記判定手段は、前記記録装置が前記表示装置に内蔵されているか否かを判定する手段である請求項１から４までのいずれか１項に記載の放送信号処理装置。
【請求項６】
前記データの記録の予約を表示の予約に変更したことを表示する手段を備える請求項１から５までのいずれか１項に記載の放送信号処理装置。
【発明の詳細な説明】
【技術分野】
【０００１】
本発明は、受信した放送信号に基づくデータを表示する表示装置、及び前記データを記録媒体に記録する記録装置を備え、前記データの表示及び記録を予約できるように構成された放送信号処理装置に関する。
【背景技術】
【０００２】
通信衛星及び地上波を用いたデジタル放送においては、映像及び音声に加えて番組情報も送信されている。この番組情報としては、例えばチャンネル名、番組名、放送開始日時、放送終了日時、放送時間、番組内容、番組のジャンル、録画の許否情報、視聴者年齢制限情報、検索キーワード情報、番組登場人物の名前等が挙げられる。
デジタル放送を受信できるテレビジョン受像機等の放送信号処理装置の中には、前記番組情報に基づいて作成した電子番組表（以下、ＥＰＧという）を表示し、ＥＰＧを用いて視聴予約及び録画予約をするように構成されたものがある。ＥＰＧから番組を選択して録画予約をした場合、放送信号処理装置に内蔵された録画装置、又は外部に接続された録画装置の記録媒体に番組開始時刻から番組が録画される。ＥＰＧから番組を選択して視聴予約をした場合、番組開始時刻に自動的に前記番組を放送するチャンネルが選局される。そして、番組編成の変更等により放送時間が変更になった場合、録画開始時間又は視聴開始時間も修正されるように構成されている。
【０００３】
特許文献１には、テレビジョン受像機とレコーダとを備え、受像機予約番組及びレコーダ予約番組の録画予約に対し録画不可能状態と判別した場合、第１乃至第３の受像機状態通知アイコン及び第１乃至第４のレコーダ状態通知アイコンを表示し、該アイコンによりテレビジョン受像機及びレコーダの録画不可能状態をユーザに通知するように構成された番組録画システムの発明が開示されている。
【特許文献１】特開２００５−８０００５号公報
【発明の開示】
【発明が解決しようとする課題】
【０００４】
特許文献１の番組録画システムにおいては、録画不可能状態を通知された場合に、ユーザに、追加記録ができるように設定されたメモリカードをテレビジョン受像機に装填させて、録画不可能状態を録画可能状態に改善させることができる。また、消去すべき受像機予約番組を選択させ、さらにはテレビジョン受像機に対して録画予約した受像機予約番組を他の録画装置で録画するように録画先を変更させること等して、録画不可能状態を録画可能状態に改善させることもできる。
【０００５】
しかし、録画予約した番組が録画禁止の番組、又は録画装置側で録画できないように設定された番組であるときには対応できないという問題があった。この場合、録画不可能であることをテレビジョン受像機の表示画面で報知して、予約をキャンセルしていた。
【０００６】
ところで、近年、ＢＤ（ブルーレイ・ディスク）レコーダ等の録画装置をテレビジョン受像機に内蔵したものが数多く開発されている。この録画装置のテレビジョン受像機への装着が不完全である場合、ユーザが前記録画装置を外して修理に出している場合等に、該録画装置に対し録画予約がなされたときには番組を録画することができないという問題があった。
【０００７】
本発明は、斯かる事情に鑑みてなされたものであり、データの記録予約がなされ、該データの記録媒体への記録が不可能である場合に、前記データの記録の予約を表示の予約に変更することにより、ユーザが前記データを視聴する機会を与えられ、該データを視聴することが可能になる放送信号処理装置を提供することを目的とする。
【課題を解決するための手段】
【０００８】
本発明に係る放送信号処理装置は、受信した放送信号に基づくデータを表示する表示装置、及び前記データを記録媒体に記録する記録装置を備え、前記データの表示及び記録を予約できるように構成された放送信号処理装置において、前記データの記録の予約を受け付けた場合に、前記データの記録が不可能であるか否かを判定する判定手段と、該判定手段により前記記録が不可能であると判定した場合に、前記データの記録の予約を表示の予約に変更する手段とを備えることを特徴とする。
【０００９】
本発明においては、前記データの記録が不可能である場合に、記録の予約が表示の予約に変更されるので、ユーザは前記データを視聴することが可能になる。
【００１０】
本発明に係る放送信号処理装置は、前記判定手段は、前記データが前記記録装置で記録することが不可能であるデータであるか否かを判定する手段であることを特徴とする。
【００１１】
本発明においては、前記データがデータ放送信号及びラジオ放送信号等に基づくデータ等であり、記録装置の記録媒体に記録できない場合に、記録の予約が表示の予約に変更されるので、ユーザは前記データを視聴することが可能になる。
【００１２】
本発明に係る放送信号処理装置は、前記判定手段は、前記データが記録を禁止されたデータであるか否かを判定する禁止有無判定手段であることを特徴とする。
【００１３】
本発明においては、前記データの記録が禁止されている場合に、記録の予約が表示の予約に変更されるので、ユーザは前記データを視聴することが可能になる。
【００１４】
本発明に係る放送信号処理装置は、前記放送信号の中には番組情報が含まれており、前記禁止有無判定手段は、前記番組情報に基づいて前記データが記録を禁止されたデータであるか否かを判定することを特徴とする。
【００１５】
本発明においては、番組情報に基づいて記録禁止のデータであるか否かが容易に判定される。
【００１６】
本発明に係る放送信号処理装置は、前記記録装置は前記表示装置に離脱可能に内蔵されており、前記判定手段は、前記記録装置が前記表示装置に内蔵されているか否かを判定する手段であることを特徴とする。
【００１７】
本発明においては、記録装置が表示装置に内蔵されていない場合に、記録の予約が表示の予約に変更されるので、ユーザは前記データを視聴することが可能になる。
【００１８】
本発明に係る放送信号処理装置は、前記データの記録の予約を表示の予約に変更したことを表示する手段を備えることを特徴とする。
【００１９】
本発明においては、ユーザに注意を喚起し、データの受信の開始時刻にデータを視聴するように促すことができる。
【発明の効果】
【００２０】
本発明によれば、データの記録予約がなされ、該データの記録媒体への記録が不可能である場合に、記録の予約が表示の予約に変更されるので、ユーザは前記データを視聴する機会を与えられ、該データを視聴することができる。従って、ユーザの利便性が良好である。
【発明を実施するための最良の形態】
【００２１】
以下、本発明をその実施の形態を示す図面に基づき具体的に説明する。
実施の形態１．
図１は、本発明の実施の形態１に係る放送信号処理装置としてのＢＤテレビジョン受像機１（以下、ＴＶ受像機という）を示す正面図である。
図１に示すように、ＴＶ受像機（表示装置）１は、本体の一側面に、スロットインタイプのディスク挿入口１ａを有しており、このディスク挿入口１ａからＢＤ２がＢＤ録画部（記録装置）１４（図２参照）内に挿入されたときに、ＢＤモードに移行して、ＢＤ録画部１４の電源をオンにするように構成されている。ＢＤ録画部１４には、ＤＶＤ（デジタル・バーサタイル・ディスク）も挿入できるように構成されている。
【００２２】
図２は、ＴＶ受像機１の構成を示すブロック図である。
ＴＶ受像機１は、アンテナ４に接続されており、チューナ５と、デマルチプレクサ（ＤＥＭＵＸ）６と、ＭＰＥＧデコーダ７と、映像合成部８と、表示部９と、番組情報抽出部１０と、ＥＰＧ生成部１１と、信号制御部１２と、制御部１３と、ＢＤ録画部１４と、リモコン受信部１５と、本体操作部１６と、外部入力端子１７とを備えている。
【００２３】
ＴＶ受像機１は、例えば地上波デジタル放送、ＢＳ（放送衛星）デジタル放送、ＣＳ（通信衛星）デジタル放送等の放送の信号を受信する。
チューナ５は、アンテナ４で受信された放送信号の中から、ユーザがリモコン１８又は本体操作部１６を操作することにより選局したチャンネルの放送信号につき、多重化されたトランスポートストリーム信号へのデジタル復調、暗号化されたデータの復号化等を行う。チューナ５は、トランスポートストリーム信号をデマルチプレクサ６へ出力する。
【００２４】
デマルチプレクサ６は、チューナ５から入力されたトランスポートストリーム信号について、圧縮符号化されたＭＰＥＧデータＭＤ及び付加情報ＳＩ（Service Information）等の分離、抽出等を行う。デマルチプレクサ６は、ＭＰＥＧデータＭＤをＭＰＥＧデコーダ７へ出力するとともに、番組ごとの付加情報ＳＩを番組情報抽出部１０へ出力する。
付加情報ＳＩとしては、例えばチャンネル名、番組名、放送開始日時、放送終了日時、放送時間、番組内容、番組のジャンル、録画許否情報、視聴者年齢制限情報、検索キーワード情報、番組登場人物の名前等の番組情報が含まれている。番組情報には、現在放送されている各チャンネルの各番組に関する番組情報及び、これから放送される予定の各チャンネルの各番組に関する番組情報が含まれる。
【００２５】
ＭＰＥＧデコーダ７は、デマルチプレクサ３から入力されたＭＰＥＧデータＭＤを映像データＶＤへデコードし、該映像データＶＤを信号制御部１２へ出力する。
【００２６】
番組情報抽出部１０は、デマルチプレクサ６から順次入力される付加情報ＳＩから番組情報を抽出して、メモリ１０ａに一時記憶する。番組情報抽出部１０は、番組名、放送開始日時等をキーワードとして検索できるように、各番組情報にインデックスを付与して、番組情報をメモリ１０ａに記憶する。番組情報抽出部１０は、メモリ１０ａに一時記憶した番組情報を読み出し、対応するインデックスとともに、ＥＰＧ生成部１１へ出力する。
【００２７】
さらに、番組情報抽出部１０は、ユーザがリモコン１８又は本体操作部１６を操作して表示部９のＥＰＧ表示画面において選択した番組の詳細情報を表示するように指示した場合には、メモリ１０ａから指定された番組情報の詳細情報を読み出してＥＰＧ生成部１１へ出力する。詳細情報には、例えば放送開始日時、放送終了日時、放送時間、番組内容、番組のジャンル、録画許否情報、視聴者年齢制限情報、番組登場人物の名前等が含まれる。
【００２８】
ＥＰＧ生成部１１は、番組情報抽出部１０から入力された番組情報及びインデックスをチャンネルごとに処理してＥＰＧを構築及び更新してメモリ１１ａに記憶する。また、ＥＰＧ生成部１１は、ユーザがリモコン１８又は本体操作部１６を操作して表示部９へのＥＰＧ画面の表示を指示した場合には、メモリ１１ａに記憶されたＥＰＧに基づいて、表示部９にＥＰＧを表示するために必要なＥＰＧテーブル（ＥＰＧＴ）を生成し、信号制御部１２へ出力する。
【００２９】
ＥＰＧ生成部１１は、上述したようにＥＰＧ画面において選択された番組の詳細情報を表示するように指示された場合には、前記ＥＰＧに前記詳細情報を重ねたものを表示するために必要なＥＰＧＴを生成して信号制御部１２へ出力する。
【００３０】
信号制御部１２は、インプットセレクタの機能を有し、前記ＭＰＥＧデコーダ７、ＥＰＧ生成部１１、外部入力端子１７、及びＢＤ録画部１４から入力された信号のうち、ユーザがリモコン１８又は本体操作部１６を用いて選択した映像・音声、又はＥＰＧＴが表示部９へ出力されるように、信号の経路を切り替える。また、ＢＤ録画部１４への録画時には、信号制御部１２は、ＭＰＥＧデコーダ７から入力された映像・音声信号が、ＢＤ録画部１４へ出力されるように信号の経路を切り替える。
【００３１】
制御部１３は、中央処理装置（ＣＰＵ）、デジタルシグナルプロセッサ（ＤＳＰ）、シーケンサ等を有し、ＴＶ受像機１の各部を制御し、メモリ１３ａに記憶されているＥＰＧ表示プログラム、予約録画プログラム、及び予約視聴変更プログラム等に基づいて、ＥＰＧ表示処理、予約録画処理、及び予約視聴変更処理等の処理を実行する。
制御部１３は、ユーザがリモコン１８又は本体操作部１６を操作して表示部９へのＥＰＧの表示を指示した場合に、メモリ１３ａからＥＰＧ表示プログラムを読み出して、ＥＰＧ表示処理を実行する。ＥＰＧ表示処理は、表示部９にＥＰＧを表示させるとともに、ＥＰＧが表示されている状態において、ユーザがリモコン１８又は本体操作部１６を操作して所定の番組を選択した場合に該番組の詳細情報を前記ＥＰＧに重ねて表示させる処理である。
【００３２】
映像合成部８は、ＥＰＧ生成部１１からＥＰＧＴが入力されない場合には、ＭＰＥＧデコーダ７から入力された映像データＶＤを合成映像データとして表示部９へ出力する。一方、ＥＰＧ生成部１１から信号制御部１２を介しＥＰＧＴが入力された場合には、映像合成部８は、前記映像データＶＤと、前記ＥＰＧテーブルＥＰＧＴとを合成処理して、合成映像データを生成し、表示部９へ出力する。
【００３３】
表示部９は、例えば液晶ディスプレイ（ＬＣＤ；Liquid Crystal Display）、プラズマディスプレイパネル（ＰＤＰ；Plasma Display Panel）等のディスプレイを備えている。表示部９は、映像合成部８から入力された合成映像データに基づいて、ディスプレイに映像を表示する。
【００３４】
リモコン受信部１５は、リモコン１８からの制御信号ＬＲを受信し、制御部１３へ与える。
図３は、リモコン１８を示す平面図である。
リモコン１８には、電源ボタン１８ａ、テンキー１８ｂ、選局ボタン１８ｃ、入力切換ボタン１８ｄ、音量ボタン１８ｅ、番組情報ボタン１８ｆ、番組表予約ボタン１８ｇ、録画ボタン１８ｎ、カーソルボタン１８ｉ、決定ボタン１８ｊ、ＢＤ録画部操作ボタン１８ｈ、及びデータ連動ボタン１８ｍを備えている。
【００３５】
本体操作部１６は、例えばＴＶ受像機１の本体の一側面の下部に設けられ、電源ボタン、入力切換ボタン、選局ボタン、音量ボタン、番組情報ボタン、カーソルボタン、決定ボタン等の各種のボタンから構成されている。各ボタンの用途及び機能は、上記リモコン１８の同一名称を有するボタンの用途及び機能と同一である。本体操作部１６は、ユーザにより操作されたボタンに対応した制御信号を制御部１３へ送信する。
【００３６】
ＴＶ受像機１においては、所定の番組の録画予約がなされ、該番組の放送開始時間に到達した場合、ＭＰＥＧデコーダ７から入力された前記番組の映像データＶＤを信号制御部１２がＢＤ録画部１４へ出力することで、ＢＤ録画部１４に装着されたＢＤ２又はＤＶＤに前記映像データＶＤが録画されるように構成されている。
なお、ＴＶ受像機１の各構成部材の中には、映像に関連した処理とともに、音声に関連した処理を行うものがあるが、それらの処理の説明は省略している。
【００３７】
以下に、制御部１３による予約視聴変更処理及び予約録画処理について詳述する。
図４は、制御部１３による予約視聴変更処理及び予約録画処理の手順を示すフローチャートである。
まず、制御部１３は、録画（記録）予約があったか否かを判定する（Ｓ１）。録画予約がないと判定した場合（Ｓ１：ＮＯ）、この判定を繰り返す。
この判定は、ユーザがリモコン１８の番組表予約ボタン１８ｇを押下し、カーソルボタン１８ｉを用いて録画予約したい番組を選択し、決定ボタン１８ｊを押下して、前記番組の録画予約がなされたか否かを判定することにより行われる。
図５は、ユーザが番組表予約ボタン１８ｇを押下することにより表示されるＥＰＧ画面及び予約リストの一例を示す図である。
図５のＥＰＧ画面が表示されている場合において、ユーザがカーソルボタン１８ｉを用いて予約したい番組を選択したとき、例えば放送局「ＯＨＫ」の第２チャンネルの午前９時から放送が開始される映画「ジョンの冒険」という番組を選択したことを示している。図５においてハッチングを施している部分は、他の部分と色が異なることを示している。
【００３８】
制御部１３は、録画の予約があったと判定した場合（Ｓ１：ＹＥＳ）、録画予約のために選択された番組が録画不可能の番組であるか否かを判定する（Ｓ２）。録画不可能の番組としては、例えばデータ放送及びデジタルラジオ放送の番組等がある。ユーザがデータ連動ボタン１８ｍを押下してデータ放送を表示部９において表示している場合に、ＥＰＧを表示させることで、データ放送の録画予約の設定が可能になる。しかし、デジタル放送の録画時間を長くする等の理由で、ＢＤ録画部１４側ではデータ放送を録画できないように設定されている。また、デジタルラジオ放送の番組もＢＤ録画部１４においてＢＤ２に録画することはできない。
制御部１３は、録画予約に係る番組が上述の録画不可能の番組であると判定した場合（Ｓ２：ＹＥＳ）、処理をステップＳ５へ進める。
【００３９】
制御部１３は、録画予約に係る番組が録画不可能の番組でないと判定した場合（Ｓ２：ＮＯ）、処理をステップＳ３へ進める。
ステップＳ３において、制御部１３はＢＤ録画部１４がＴＶ受像機１に未装着であるか（内蔵されていないか）否かを判定する。ここで、ＢＤ録画部１４がＴＶ受像機１に未装着である場合としては、例えばＢＤ録画部１４が取り外されて修理に出されている場合、ＢＤ録画部１４のＴＶ受像機１への装着が不完全である（ずれている）場合等が挙げられる。
【００４０】
制御部１３は、ＢＤ録画部１４が未装着であると判定した場合（Ｓ３：ＹＥＳ）、処理をステップＳ５へ進める。
制御部１３は、ＢＤ録画部１４が装着されていると判定した場合（Ｓ３：ＮＯ）、処理をステップＳ４へ進める。
【００４１】
ステップＳ４において、制御部１３は、録画予約に係る番組の録画が禁止されているか否かを判定する。制御部１３は、ＥＰＧ生成部１１のメモリ１１ａに記録されている番組情報の詳細情報を読み出し、該詳細情報のうちの録画許否情報に基づいて、番組の録画が禁止されているか否かを判定する。この録画禁止の場合としては、放送局が、ネバーコピー（録画禁止）形式で番組を放送している場合等が挙げられる。
【００４２】
制御部１３は、録画予約に係る番組の録画が禁止されていると判定した場合（Ｓ４：ＹＥＳ）、処理をステップＳ５へ進める。
制御部１３は、前記番組の録画が許可されていると判定した場合（Ｓ４：ＮＯ）、処理をステップＳ６へ進める。
ステップＳ６において、制御部１３は例えば「この番組をＢＤ録画予約しました。」のように録画予約を設定したというメッセージを表示部９に表示させる。そして、図６に示すように、ＥＰＧに隣接する予約リストに録画予約の内容を表示させる。
制御部１３は、録画予約で設定された番組の開始時間に到達した場合、番組の録画を開始し、設定終了時間に録画を終了することで予約録画処理を実行し（Ｓ７）、処理を終了する。
【００４３】
ステップＳ５において、制御部１３は、録画予約を視聴予約に設定を変更する。
そして、制御部１３は、録画予約を視聴予約に変更したことを表示する（Ｓ８）。制御部１３は番組が録画不可能の番組である場合、又は番組の録画が禁止されている場合、「録画できない番組のため、視聴予約にしました。」というメッセージを表示部９の画面に表示する。また、ＢＤ録画部１４がＴＶ受像機１から外れている場合、「ＢＤ録画部が外れているため、視聴予約にしました。」というメッセージを表示部９の画面に表示する。これにより、ユーザに対し視聴予約に変更したことへの注意が喚起される。
制御部１３は、視聴予約で設定された番組の開始時間に到達した場合、ＴＶ受像機１の電源がオフであるときは電源をオンにし、電源がオンであるときはチャンネルを切り換えて、前記番組の表示を開始し、設定終了時間に終了することで予約視聴処理を実行し（Ｓ９）、処理を終了する。
【００４４】
本実施の形態においては、録画予約に係る番組のＢＤ２等への録画が不可能である場合に、録画予約が視聴予約に変更されるので、ユーザは前記番組を視聴する機会を与えられ、該番組を視聴することができる。従って、本実施の形態のＴＶ受像機１は、良好な利便性を有する。
【００４５】
なお、ステップＳ１の録画予約は、リモコン１８の番組表予約ボタン１８ｇを押下して行う場合に限定されるものではない。ＥＰＧの画面を表示し、番組を選択した後、画面上の録画予約ボタンを押下して行うものであってもよい。また、ユーザが録画の開始日時、終了日時、チャンネル、番組をリモコン１８のテンキーを用いて入力するものであってもよい。この場合、制御部１３は、ステップＳ１において、ユーザのテンキー入力による録画予約を受け付けたか否かを判定し、ステップＳ４において、ＥＰＧ生成部１１のメモリ１１ａから録画予約に係る番組の詳細情報を読み出し、該詳細情報のうちの録画許否情報に基づいて、番組の録画が禁止されているか否かを判定する。
【００４６】
また、本実施の形態においては、図４のフローチャートのステップＳ２、Ｓ３、Ｓ４の内容が、請求項の「データの記録が不可能であるか否かを判定する判定手段」に相当するが、ステップＳ２、Ｓ３、Ｓ４の順に処理がなされる場合には限定されない。また、ステップＳ２、Ｓ３、Ｓ４の全ての処理を行う場合には限定されない。さらに、前記判定手段の内容は、ステップＳ２、Ｓ３、Ｓ４の内容には限定されない。
【００４７】
そして、本実施の形態においては、ＴＶ受像機１がＢＤ録画部１４を内蔵する場合につき説明しているがこれに限定されるものではなく、ＴＶ受像機１はＤＶＤに録画するＤＶＤ録画部、又はＨＤＤ（ハードディスクドライブ）を備えるものであってもよい。さらに、ＴＶ受像機１は番組を録画するためのメモリカードを装着可能に構成されているものであってもよい。
【００４８】
実施の形態２．
図７は、本発明の実施の形態２に係る放送信号処理装置２１を示す斜視図である。
放送信号処理装置２１は、テレビジョン受像機（以下、ＴＶ受像機という）２２にシリアルバス２４を介してＢＤ録画装置２３をＨＤＭＩ（ハイ−デフィニション・マルチメディア・インターフェイス）接続してなる。
図８は、放送信号処理装置２１の構成を示すブロック図である。図中、図２と同一部分は同一符号を付して詳細な説明を省略する。
ＢＤ録画装置２３は、各種の処理を実行する制御部２５と、ＨＤＭＩインターフェイス部２６と、映像データ受信部２８とを備えている。ＢＤ録画装置２３のブロック図において、録画処理の構成は省略している。ＴＶ受像機２２は、信号制御部１２へ送信できるように接続されたＨＤＭＩインターフェイス部２７と、映像データ送信部２９とを備えている。
【００４９】
放送信号処理装置２１において、ＢＤ録画装置２３に装着されたＢＤに録画されている映像データは、ＨＤＭＩインターフェイス部２６，２７を介し信号制御部１２へ与えられる。信号制御部１２は入力された映像データを映像合成部８へ出力し、映像合成部８は映像データを表示部９へ出力し、表示部９で映像が表示される。
【００５０】
また、放送信号処理装置２１においては、ＴＶ受像機２２で所定の番組の録画予約がなされ、該番組の放送開始時間に到達した場合、ＭＰＥＧデコーダ７から入力された前記番組の映像データＶＤを信号制御部１２が映像データ送信部２９へ出力する。映像データ送信部２９は前記映像データＶＤを映像データ受信部２８へ送信し、映像データ受信部２８は受信した映像データＶＤを制御部２５へ出力し、制御部２５は、ＢＤ録画装置２３に装着されたＢＤに前記映像データＶＤを録画する。
【００５１】
ＴＶ受像機２２の制御部１３は、本発明の実施の形態１に係る予約視聴変更処理及び予約録画処理と同様の処理を実行する。
図９は、ＴＶ受像機２２の制御部１３による予約視聴変更処理及び予約録画処理の手順を示すフローチャートである。
まず、制御部１３は、録画予約があったか否かを判定する（Ｓ１１）。録画予約がないと判定した場合（Ｓ１１：ＮＯ）、この判定を繰り返す。この判定は、実施の形態１と同様に、ユーザがリモコン１８の番組表予約ボタン１８ｇを押下し、カーソルボタン１８ｉを用いて録画予約したい番組を選択し、決定ボタン１８ｊを押下して、前記番組の録画予約がなされたか否かを判定することにより行われる。
【００５２】
制御部１３は、録画予約があったと判定した場合（Ｓ１１：ＹＥＳ）、録画予約のために選択された番組が録画不可能の番組であるか否かを判定する（Ｓ１２）。録画不可能の番組としては、例えばデータ放送及びデジタルラジオ放送の番組等がある。
制御部１３は、録画予約に係る番組が上述の録画不可能の番組であると判定した場合（Ｓ１２：ＹＥＳ）、処理をステップＳ１５へ進める。
【００５３】
制御部１３は、録画予約に係る番組が録画不可能の番組でないと判定した場合（Ｓ１２：ＮＯ）、処理をステップＳ１３へ進める。
ステップＳ１３において、制御部１３はシリアルバス２４が外れており、ＢＤ録画装置２３がＴＶ受像機２２に未接続であるか否かを判定する。
【００５４】
制御部１３は、ＢＤ録画装置２３が接続されていないと判定した場合（Ｓ１３：ＹＥＳ）、処理をステップＳ１５へ進める。
制御部１３は、ＢＤ録画装置２３が接続されていると判定した場合（Ｓ１３：ＮＯ）、処理をステップＳ１４へ進める。
【００５５】
ステップＳ１４において、制御部１３は、録画予約に係る番組の録画が禁止されているか否かを判定する。制御部１３は、ＥＰＧ生成部１１のメモリ１１ａに記録されているＥＰＧの詳細情報を読み出し、該詳細情報のうちの録画許否情報に基づいて、番組の録画が禁止されているか否かを判定する。この録画禁止の場合としては、放送局が、ネバーコピー（録画禁止）形式で番組を放送している場合等が挙げられる。
【００５６】
制御部１３は、録画予約に係る番組の録画が禁止されていると判定した場合（Ｓ１４：ＹＥＳ）、処理をステップＳ１５へ進める。
制御部１３は、前記番組の録画が許可されていると判定した場合（Ｓ１４：ＮＯ）、処理をステップＳ１６へ進める。
ステップＳ１６において、制御部１３は例えば「この番組をＢＤ録画予約しました。」のように録画予約を設定したというメッセージを表示部９に表示させる。
そして、制御部１３は、録画予約で設定された番組の開始時間に到達した場合、番組の録画を開始し、設定終了時間に録画を終了することで予約録画処理を実行し（Ｓ１７）、処理を終了する。
【００５７】
ステップＳ１５において、制御部１３は、録画予約を視聴予約に設定を変更する（Ｓ１５）。
そして、制御部１３は、録画予約を視聴予約に変更したことを表示する（Ｓ１８）。制御部１３は番組が録画不可能の番組である場合、又は番組の録画が禁止されている場合、「録画できない番組のため、視聴予約にしました。」というメッセージを表示部９の画面に表示する。ＢＤ録画装置２３がＴＶ受像機２２に接続されていない場合、「ＢＤ録画装置が接続されていないため、視聴予約にしました。」というメッセージを表示部９の画面に表示する。
制御部１３は、視聴予約で設定された番組の開始時間に到達した場合、ＴＶ受像機２２の電源がオフであるときは電源をオンにし、電源がオンであるときはチャンネルを切り換えて、番組の表示を開始し、設定終了時間に終了することで予約視聴処理を実行し（Ｓ１９）、処理を終了する。
【００５８】
本実施の形態においては、録画予約に係る番組のＢＤへの録画が不可能である場合に、録画予約が視聴予約に変更されるので、ユーザは前記番組を視聴する機会を与えられ、該番組を視聴することができる。従って、本実施の形態の放送信号処理装置２１は、良好な利便性を有する。
【００５９】
なお、本実施の形態においては、ＴＶ受像機２２側で録画予約を受け付ける場合につき説明しているが、これに限定されるものではなく、放送信号処理装置２１は、ＢＤ録画装置２３側で録画予約を受け付けた場合、ＢＤ録画装置２３で録画が不可能であるときに、ＴＶ受像機２２での視聴予約に変更するように構成されたものであってもよい。
【００６０】
また、録画装置がＢＤ録画装置２３である場合につき説明しているがこれに限定されるものではなく、ＤＶＤ、ＶＨＳテープ、及びＨＤＤ等に録画する装置であってもよい。
さらに、本発明に係る予約視聴変更処理の構成は、録画部を備えるＳＴＢ（セット・トップ・ボックス）と表示装置とからなる放送信号処理装置にも適用することが可能である。
【図面の簡単な説明】
【００６１】
【図１】本発明の実施の形態１に係る放送信号処理装置としてのＢＤテレビジョン受像機１を示す正面図である。
【図２】本発明の実施の形態１に係るＴＶ受像機の構成を示すブロック図である。
【図３】本発明の実施の形態１に係るリモコンを示す平面図である。
【図４】本発明の実施の形態１に係る制御部による予約視聴変更処理及び予約録画処理の手順を示すフローチャートである。
【図５】ユーザが番組表予約ボタンを押下することにより表示されるＥＰＧ画面及び予約リストの一例を示す図である。
【図６】ＥＰＧに隣接する予約リストに録画予約の内容を表示させた状態を示すＥＰＧ画面及び予約リストの一例を示す図である。
【図７】本発明の実施の形態２に係る放送信号処理装置を示す斜視図である。
【図８】本発明の実施の形態２に係る放送信号処理装置の構成を示すブロック図である。
【図９】本発明の実施の形態２に係るＴＶ受像機の制御部による予約視聴変更処理及び予約録画処理の手順を示すフローチャートである。
【符号の説明】
【００６２】
１、２２  ＴＶ受像機
２  ＢＤ
４  アンテナ
５  チューナ
６  デマルチプレクサ
７  ＭＰＥＧデコーダ
８  映像合成部
９  表示部
１０  番組情報抽出部
１１  ＥＰＧ生成部
１２  信号制御部
１３  制御部
１４  ＢＤ録画部
１５  リモコン受信部
１６  本体操作部
１７  外部入力端子
１８  リモコン
１８ｇ  番組表予約ボタン
２１  放送信号処理装置
２３  ＢＤ録画装置
２４  シリアルバス
２６、２７  ＨＤＭＩインターフェイス部
【図１】
2010119047.tif 000003
【図２】
2010119047.tif 000004
【図３】
2010119047.tif 000005
【図４】
2010119047.tif 000006
【図５】
2010119047.tif 000007
【図６】
2010119047.tif 000008
【図７】
2010119047.tif 000009
【図８】
2010119047.tif 000010
【図９】
2010119047.tif 000011